(57)【要約】  金属グリッド部材と長方形の複合音響パネルとを備える吊り下げ天井システムであって、パネルがそれらの周辺に縁部を有し、グリッド部材が、パネルを縁部で支持するように適合された反対側に延びるフランジを提供するように、ほぼ逆Ｔ字形のような断面を有し、グリッド部材フランジの支持体と各パネルの少なくとも１つの縁部との間の接合部に弾性要素を有し、弾性要素が、パネルをグリッド部材の下方から持ち上げて設置位置に入れることを可能にし、弾性要素自体を拡張してこのようなパネルをグリッド上の所定位置に保持するために、一時的に撓むように構成される、吊り下げ天井システム。
2012511641.tif 000002
【特許請求の範囲】
【請求項１】
金属グリッド部材と長方形の複合音響パネルとを備える吊り下げ天井システムであって、前記パネルがそれらの周辺に縁部を有し、前記グリッド部材が、前記パネルを縁部で支持するように適合された反対側に延びるフランジを提供するように、ほぼ逆Ｔ字形のような断面を有し、前記グリッド部材フランジの支持体と各パネルの少なくとも１つの縁部との間の接合部に弾性要素を有し、前記弾性要素が、パネルを前記グリッド部材の下方から持ち上げて設置位置に入れることを可能にし、前記弾性要素自体を拡張して前記パネルを前記グリッド上の所定位置に保持するために、一時的に撓むように構成される、吊り下げ天井システム。
【請求項２】
前記弾性要素がグリッド部材によって形成される、請求項１に記載の吊り下げ天井システム。
【請求項３】
前記グリッド部材フランジが一対のほぼ垂直な面を有し、前記面の少なくとも一部が、パネルを設置することを可能にするように、前記グリッド部材の垂直な中心線に向かって内側に弾性的に撓むことができる、請求項２に記載の吊り下げ天井システム。
【請求項４】
前記フランジが、下方に延びる前記グリッド部材の別個のウェブ上に支持され、前記ウェブが、自由状態において前記フランジの領域で互いに離間し、前記パネルの設置中、パネル縁部に係合されるときに互いに近づくように弾性的に撓むことが可能である、請求項３に記載の吊り下げ天井システム。
【請求項５】
前記それぞれのグリッド部材フランジの少なくとも一部を収容するために、前記１つのパネル縁部にはポケットが形成される、請求項４に記載の吊り下げ天井システム。
【請求項６】
前記弾性要素がパネル上に支持される、請求項１に記載の吊り下げ天井システム。
【請求項７】
前記パネルがさねはぎ縁を有し、前記弾性要素が前記さねはぎ縁の中空部に配置される、請求項６に記載の吊り下げ天井システム。
【請求項８】
前記弾性要素がエラストマー体である、請求項７に記載の吊り下げ天井システム。
【請求項９】
前記弾性要素が金属ストリップまたは金属クリップである、請求項７に記載の吊り下げ天井システム。
【請求項１０】
前記弾性要素が可撓性のプラスチックストリップまたはプラスチッククリップである、請求項７に記載の吊り下げ天井システム。
【発明の詳細な説明】
【技術分野】
【０００１】
本発明は、吊り下げ天井構造物に関し、特に、天井パネルを吊り下げグリッドから下方に取り外すことが可能であるシステムに関する。
【背景技術】
【０００２】
吊り下げ天井は、通常、長方形の金属グリッドと、グリッドの平面の上方のプレナムからグリッド空間に設置されるパネルまたはタイルとを備える。この設置技術は、グリッド要素およびパネルが簡単な形態をとることを可能にするが、いくぶんかの最小のオーバーヘッドクリアランスを必要とし、通常、グリッド要素の下面が完全に露出されたままとなる。これらの特性は、これらの通常のシステムを使用することができる場所とこのような設備の美観とを制限することがある。
【発明の概要】
【課題を解決するための手段】
【０００３】
本発明は、天井の下方の空間を介して移動させることによってパネルがグリッドに設置され、およびそこから取り外されることを可能にする吊り下げ天井用のグリッド構成要素およびパネル構成要素を提供する。本発明は、パネルの縁部がグリッド部材の表面によって支持される箇所に配置される、横方向に弾性の要素に依拠する。本発明のいくつかの実施形態では、弾性要素はグリッド部材上に配置され、一方、他の実施形態では、弾性要素はパネル上に配置される。弾性要素は、好ましくは、各パネルの少なくとも２つの対向側縁部に配置される。グリッドとパネル縁部との相互係合面の一方または両方を、カム動作を展開させて弾性要素の横方向運動を発生させるように構成することができ、これによって、パネルが上方または下方に移動させられるときに、パネルをグリッド上に設置するかまたはそこから取り外すことを可能にする。いくつかの開示される構成では、本形態は、上方へのパネルの設置移動中のおよび下方へのパネルの取り外し移動中の両方において、カム動作を行う。
【図面の簡単な説明】
【０００４】
【図１】下方へのアクセスを行うことができる吊り下げ天井用の新規のグリッドティーおよび天井パネル構造物の部分断面図である。
【図２】天井パネルの変形例の、図１と同様の図である。
【図３】天井パネルおよびグリッドティーのさらに他の変形例の、図１と同様の図である。
【図４】グリッドティーおよび天井パネル構造物のさらに別の変形例の断面図である。
【図５】図４に示されているグリッドティーの変形例の等角図である。
【図６】本発明に従って構成されたさらに別のグリッドティーおよび天井パネルの部分断面図である。
【図７】図６に示されているグリッドティーの変形例の等角図である。
【図７Ａ】図６に示されているグリッドティーのさらに他の変形例の等角図である。
【図８】本発明に従って構成されたグリッドティーの断面図である。
【図９】グリッドティークリップの等角図である。
【図１０】相補的形状の支持グリッドティーの設置位置に示されている図９のクリップの断面図である。
【図１１】グリッドティーおよび新規の天井パネルの断面図である。
【図１２】天井パネルのさらに別の変形例のグリッドティーの縁部の詳細断面図である。
【図１３】図１２に示されている天井パネルと同様の天井パネルの変形形態の縁部の詳細断面図である。
【図１４】本発明を具体化した独特の構造物のグリッドティーおよび天井パネルの部分断面図である。
【発明を実施するための形態】
【０００５】
本明細書に記載されるグリッド部材は、典型的に、当業界で一般的であるように鋼またはアルミニウム製の圧延シート金属ストリップでできている。一般的に、グリッド部材は、パネル支持フランジを有する底部と中空補強バルブを有する頂部とを有する、逆Ｔ字形の一般的な断面形状を有する。一般的に、グリッド部材またはグリッドティーは、通常、長い主ランナおよび短いクロスランナを使用して長方形グリッドに配置される。グリッドモジュールは、例えば、２’ｘ２’または２’ｘ４’であるか、あるいはメートル法換算値であり、ならびに他の所望のサイズであることができる。従来のティー形状が他の方向にある状態で、本明細書に開示される種々のティーを一方向にのみ使用することができるので、長方形パネルは、２つの対向側縁部に支持されるか、またはその代わりに、両方向に使用されることができ、その結果、パネルが全ての４つの縁部に支持されることが適切に理解される。本明細書に記載される天井パネルは、典型的に、所望の機械的特性および音響特性を有する長方形の（この用語は正方形を含む）複合ボードであり、公知の構成からできている。開示される実施形態の全てにおいて、パネルの少なくとも２つの対向側縁部が、隣接するグリッド部材上の弾性要素と協働するための特別の形状を有するか、あるいは縁部自体が弾性要素を構成または一体化する。
【０００６】
次に図１を参照すると、グリッドランナまたはグリッドティー１０および一対の天井パネル１１の断面図が示されている。グリッドティー１０は、その上縁に沿って延びる中空補強バルブ１２と、グリッドティー１０の下縁または底部に沿って反対側に延びるパネル支持フランジ１３とを有する。ウェブ層またはステム層１４はバルブ１２とフランジ１３との間にほぼ垂直に延びる。図示した実施例では、フランジは、その関連するウェブ１４から末端のＵ字形湾曲部を有するＵ字形チャネルの形態である。パネル１１の縁部１６は、それぞれのフランジ１３を収容する溝またはポケット１７を有する。ティー１０は圧延成形されるか、さもなければ、その自由状態で、図１に示したように、ウェブ層１４が互いに広がり、バルブ１２からの距離が増加するにつれて、ウェブ層１４の間隔が増加するように製造される。パネルまたはタイル１１は、ティーを押し付けてウェブ層１４を互いにくっつけることによって、ティー１０で形成されたグリッドから解放させることができ、その結果、フランジ１３の少なくとも一方がそのそれぞれの溝１７から引き抜かれ、関連するパネル１１が、垂直に下方に下ろされて、天井の平面の上方のプレナムにアクセスすることが可能になる。
【０００７】
図２は、図１に開示したティーと同じ形状であることができるグリッドティーと、図１に示した天井パネル２１から縁部プロファイルを変形させた天井パネル２１とを示している。パネルの縁部２２は、ティーフランジ１３を収容するための溝２３を含む。溝２３の上方にある縁部は、２４において角度が付けられるかまたは傾斜される。角度が付けられたこの構造物は、設置工程中にパネルが上方に押圧されるときに、表面２４によりティーのそれぞれのフランジ１３が内側にカム結合することを可能にする。すなわち、パネル２１がその垂直な設置位置にあり、フランジ１３を溝２３に嵌め込むことができるまで、フランジおよびそれに関連するウェブ層１４を弾性的に撓ませるように斜面２４が動作する押し上げ動作によって、パネル２１を下方からティー１０上に設置することができる。小さな孔またはスロット２６を、フランジ１３とそれらのそれぞれのウェブ層１４との間の接合部の近傍に設けて、工具が、天井の下方からおよび隣接パネル２１の間の間隙を介して、上記小さな孔またはスロット２６に挿入されることを可能にし、ウェブ層１４をその反対側のウェブ層に向かって撓ませて、フランジ１３を溝２３から、したがって、パネル２１をティー１０から解放することができる。
【０００８】
図３を参照すると、グリッドティー３０は、フランジ３１が、先に示したフランジよりも球状である、または丸くなっているという点で、図１および図２に示したグリッドティーとは異なる。天井パネル３２は、Ｖ字形の溝またはポケット３４を有する縁部３３と、傾斜または面取りした上部領域３６とを有する。フランジが溝３４に嵌入して、パネルがグリッドティーの下方の空間から設置されるまで、設置中にパネル３２が上方に押圧され、その結果、フランジ３１およびウェブ３５が内側に撓ませられるときに、フランジ３１の下部の傾斜面３８が斜面３６の表面に係合する。溝３４の傾斜面３９がフランジ３１の上部の傾斜面４１に当接して、フランジとウェブ３５とを内側にカム結合させ、パネル３２が下方に引っ張られ、これによって設置位置から解放されるときにフランジを溝から移動させる。
【０００９】
図４にはグリッドティー４５が示されており、このグリッドティーは、頂部に中空補強バルブ４６を有し、底部にパネル支持フランジ４７を有する。バルブ４６とフランジ４７との間には二重の壁ウェブまたは層ウェブ４８が配置される。フランジ４７は、図４に見られるようにウェブの左右に対して対称なセクションを有する。フランジセクションの各々は、ウェブ４８から延びる水平部４９と、ウェブから末端の上に向いた部分５１とを有する。上に向いた部分５１は、外側に傾斜したセクション５３と、内側に傾斜したセクション５４とにより、対応する天井パネル５２に対して凸状である。グリッドティー４５はその自由状態でまたは本質的にその自由状態で示されている。天井パネル５２は、フランジ４７の対応するセクションに相補的な縁部形状を有する。特に、縁部５６は、外側にフレア型のまたは外側に配向された表面５７と、内側にフレア型のまたは内側に配向された表面５８とを含む。表面５７、５８は、ティーフランジ部５１を収容するための浅い溝またはポケットを形成する。グリッドティー４５の材料は、フランジ４７の側部が内側に撓むことを可能にして、パネル５２が、天井の平面の下方から設置するための位置に押し込まれ、天井の上方のプレナムにアクセスするように下方に引っ張られることを可能にする程度に十分に弾性である。設置中、外側に傾斜したフランジセクション５３は、パネル５２のコーナー５９に係合されるときにカムとして機能し、フランジ部５１を内側に押し付けて、パネル５２を設置する。パネル５２の取り外しまたは撤去のために、フランジ面５４に対してカムとして機能するフレア型のパネル面５７は、フランジセクション５１を横方向内側に押し付けて、パネルをグリッドティー４５から引き抜くことを可能にする。フランジ４７を点６１で切り込むか、切り欠くか、さもなければ弱化して、例えば、過剰な圧縮力がパネルに加えられることなく（そうしなければパネルは損傷する可能性がある）、フランジがパネル５２の設置または取り外しのために湾曲することを保証することができる。
【００１０】
図５は、図４に示したティー４５の機能と同様の機能のグリッドティー６２を示している。この実施例では、フランジセクション６３は、水平部６４と垂直部６５とを有するＬ字形である。垂直フランジ部６５に沿って、垂直部の平面から打ち抜かれた規則的な間隔の一連の突出部６６が長手方向に離間する。突出部は、図４のグリッドティー４５の対応する表面５３、５４として機能する傾斜面６７、６８を有する。グリッドティー６２は、図４に示したパネル５２に使用することができ、図４に関連して説明したように、パネルの取り付けおよび取り外しを実現することができる。
【００１１】
図６は、グリッドティー７０の変形例を示している。グリッドティー７０のフランジセクション７１は、図４に関連して説明したフランジセクションの向きとは逆にされる。フランジセクション７１は、水平部７２と、そこから生じる垂直部７３とを含む。垂直部７３は、外側に延びる部分７６と、内側に延びる部分７７とにより、天井パネル７４に対して凸状である。天井パネル７４は、フランジセクション７１のプロファイルに適合するように成形された縁部を有する。具体的には、パネル７４の縁部７８は、垂直フランジ部７３の外側方向セクション７６および内側方向セクション７７に適合するように調整されたＶ字形の溝７９を有する。図４に示したグリッドティー４５およびパネル５２に関連して説明したのと同様に、パネル７４を所定位置に押し込むかまたはその設置位置から引っ張ることによって、パネル７４をグリッドティー７０に設置するかまたはグリッドティー７０から取り外すことができる。
【００１２】
図７は、図５のグリッドティー６２と同様のグリッドティー８０を示している。グリッドティー８０は、水平部８２と、そこからぶら下がり、およびグリッドティーウェブ８４から末端にある垂直部８３とを含むフランジセクション８１を有する。突出部８６は垂直部８３から打ち抜かれる。突出部は、グリッドティー８０の長さに沿って離間し、図６のティーと同様にティーを縦方向に見た場合のプロファイルを有する。グリッドティー８０は、上記図に関連して説明した設置および取り外しを行うように、図６の天井パネル７４または図４のパネル５２に使用することができる。
【００１３】
図７Ａは、図７のティー８０と同様のグリッドティーの変形例８５を示している。フランジセクション８７は水平部８８と垂直部８９とを含む。弾性グリップ９５は、グリッドティー８５の長さに沿った離間位置で垂直部８９に一体成形される。一体ヒンジ９６を残すように３つの側部の垂直部８９から切り出されているグリップ９５は、ヒンジの垂直長さを含むそのヒンジの垂直寸法に比べて比較的長い。ヒンジ９６の短い垂直長さと、グリップ９５の球状の自由端９８からの比較的長い距離とにより、比較的柔らかいバネ、すなわち、グリップの撓みに必要な小さい力が得られる。グリップ９５の結果として得られる穏やかな動作は、図６に示したようなパネルが設置のために押し上げられ、取り外しのために引き下ろされるときに、グリップ９５が容易に撓むことを可能にし、これによって、パネルに対する過剰な力および損傷の可能性を回避する。
【００１４】
図８は、グリッドティー９０の変形形態を示している。フランジセクション９１は水平部９２と垂直部９３とを含む。グリッドティー９０の長さに沿って、垂直フランジ部９３の上部領域に打ち抜かれた関連する細長いスロットに配置されたシート金属製のバネクリップ９４が離間される。フランジセクション９１の外側のクリップ９４の部分は、グリッドティー８０の突出部８６（図７）が、図４および図６に示したようなパネル５２、７４を受け入れて保持するのに役立つ。フランジセクション９１内において、クリップ９４が一体アーム９７を有する。隣接パネルの間に挿入された工具でアーム９７を操作して、フランジセクション９１の外部のクリップ９４の部分を、垂直フランジ部９３に対して平坦にすることにより、パネルを解放することができる。
【００１５】
図９および図１０は、吊り下げ天井パネル１０１用のねじりクリップ１００を示している。クリップ１００は、典型的に１５／１６インチの面幅を有する標準的なグリッドティーの下面に取り付けられるように調整される。クリップ１０は、鋼シートストックから打ち抜かれ、打ち抜き前または打ち抜き後に硬化されて、バネのような特性を有することができる。クリップ１００は、対角線上にあるコーナーの一対の対向側グリップ１０２と、他方の対角線上にあるコーナーの一対のストッパ１０３とを含む。クリップ１００の本体の元の平面から、一対の対向側脚部１０４がぶら下がる。脚部１０４の各々は突出部１０６を有し、この突出部は、それに関連する脚部１０４の平面に対して横方向に延び、脚部１０４は、グリッドティーへの設置時に、脚部１０４が設置されるティー１０８のウェブ１０７の平面に対して平行である（図１０）。パネル１０１は、軽量ゲージ鋼でできた圧延成形された金属成形体１０９、またはその縁部に取り付けられかつパネル１０１の上面よりも高く上方に延びたポリ塩化ビニル（ＰＶＣ）等のプラスチック押出成形体を有する。
【００１６】
成形体１０９は、適切な締結技術、例えば、成形体の本体に突起を形成すること、別個のステープルを使用すること、および／または接着剤を使用することによってパネルに機械的に取り付けられる。パネル１０１を所定位置に押し込んで、成形体１０９の上部コーナーと突出部１０６の下部とを接触させることによって脚部１０４を内側にカム結合させ、パネル１０１をクリップ１００およびその関連するグリッドティー１０８に組み立てることができることが理解される。脚部１０４は、成形体１０９の外部フレアによって形成されたポケットに嵌入する。逆に、パネルを下方に引っ張って、突出部１０６の上部を脚部１０４の内側にカム結合し、これによりパネル１０１を解放することによって、パネル１０１を、図１０に示した設置位置から取り外すことができる。特定のパネル１０１を取り外す間に、隣接するパネルを、図１０に示した通常の静止位置よりも高く持ち上げて、取り外されているパネルを指または工具で把持することができる。
【００１７】
図１１には、従来のグリッドティー１０８と新規の天井パネル１０９とが示されている。パネル１０９のベースは従来の天井パネルストックから製造される。パネル１０９の縁部は、パネルの最も外側の縁部１１２から凹んでいる垂直面１１１を含むようにさねはぎにされる。さねはぎ面１１１には弾性フォーム縁１１３が取り付けられる。パネル１０９のさねはぎ縁および弾性フォーム縁１１３は、規則的な間隔の平行な一対のグリッドティー１０８の間にパネルを押し上げることができるように調整される。この押し上げ設置動作中、弾性フォーム縁１１３は、グリッドティー１０８のフランジの間の空間を介して通過することができるように弾性的に圧縮される。パネル１０９がグリッドティー１０８の下面に当接するときに、弾性フォーム縁は拡大して自由状態になり、その結果、その弾性フォーム縁はグリッドティーのフランジの隣接部に重なり、これによってパネルを所定位置に保持する。弾性フォーム縁１１３は、パネル１０９の所定位置に形成されるか、または適切な接着剤でパネルに接着された押出成形体または成形部品であり得る。
【００１８】
図１２は、図１１に示した構造の代替例を示している。パネル１０９は、その垂直面１１１に固定されたクリップ１１４を有する。クリップ１１４は、それがバネとして機能することを可能にする弾性特性を有するＰＶＣまたは同様の材料等の適切な押出成形されたプラスチックであり得る。プラスチックストリップ１１４は、それに関連するパネル１０９の長さに沿って連続することができ、パネル１０９のさねはぎ縁の垂直面１１１に接着剤でまたは機械的に取り付けられる。ストリップまたはクリップ１１４はパネル１０９の少なくとも２つの対向側縁部に設けられる。図１１に関連して説明したように、パネル１０９およびクリップ１１４のアセンブリをグリッドの平面の下方から吊り下げグリッドに設置することができる。
【００１９】
次に、図１３を参照すると、天井パネル１０９は、その垂直面１１１に取り付けられた軽量ゲージ金属バネ１１７を有する。垂直面１１１に沿って連続的に延びることができるか、または離間したセグメントに設けることができるバネ１１７は、所望に応じて、一体成形の突起、ステープル、または接着剤によってパネル１０９に機械的に取り付けられる。金属バネ１１７は、垂直面が延びる方向に沿って見た場合に、図１２に示したプラスチックストリップ１１４の形状と同様の形状を有する。このことは、パネル１０９およびバネ１１７のアセンブリが、図１１および図１２に関連して説明したのと同様の方法で使用されることを可能にし、その結果、パネル１０９をグリッドの平面の下方から組み立てることができる。
【００２０】
図１４を参照すると、天井パネル１２０は軽量ゲージ金属シート１２１で覆われる。金属シート１２１は逆向きの皿形状を有する。被覆シート１２１の周辺には垂直フランジ１２２が形成される。フランジ１２２はリブまたはビード１２３を形成するように内側に湾曲する。フランジ１２２およびそのビード１２３は従来のスロットタイプのグリッドティー１２５のスロット縁１２４を取り外し可能に受け止めるように調整される。
【００２１】
本発明の特定の実施形態を参照して、本発明について図示および説明してきたが、これは、例示目的に過ぎず、限定的なものではなく、本発明の意図された精神および範囲内に全て含まれる、本明細書に図示および記載されている具体的な実施形態の他の変形例および修正例が、当業者に明らかであろう。したがって、本特許は、範囲および効果においても、技術の進歩が本発明によって促進される程度において矛盾しない他の任意の方法においても、本明細書に図示および説明した具体的な実施形態に限定されるべきではない。
【図１】
2012511641.tif 000003
【図２】
2012511641.tif 000004
【図３】
2012511641.tif 000005
【図４】
2012511641.tif 000006
【図５】
2012511641.tif 000007
【図６】
2012511641.tif 000008
【図７】
2012511641.tif 000009
【図７Ａ】
2012511641.tif 000010
【図８】
2012511641.tif 000011
【図９】
2012511641.tif 000012
【図１０】
2012511641.tif 000013
【図１１】
2012511641.tif 000014
【図１２】
2012511641.tif 000015
【図１３】
2012511641.tif 000016
【図１４】
2012511641.tif 000017
【国際調査報告】
2012511641.tif 000018
2012511641.tif 000019